(57)【要約】【課題】ユーザーが快適にコンピュータゲームへの入力と制御をタブレットコンピュータで行うことができるゲームコントローラの提供。【解決手段】本発明は上殻体、下殻体、回路板、複数の充電池を含んで成るゲームコントローラであり、上殻体が多様なタイプの制御部材と、少なくとも２つのスピーカー及び複数のソーラーパネルを含み、下殻体がロック機構、複数のトリガーボタン、イヤフォンジャック、ＵＳＢポートを含み、携帯型端末を本発明に挿入し、ロック機構により固定することができ、携帯型端末と本発明が制御アプリケーションにより無線で、またはＵＳＢデータケーブルを使用して接続され、多様なタイプの制御ボタンとトリガーボタンにより本発明の入力コマンドが制御される。【選択図】図１
2013135830.tif 000002
【特許請求の範囲】
【請求項１】
上殻体と、下殻体と、回路板と、複数の充電池を含み、
前記上殻体が、複数のメニューボタン、複数の制御ボタン、方向パッド、少なくとも２本のジョイスティック、少なくとも２つのスピーカー、複数のソーラーパネルを含み、
前記下殻体が、複数のトリガーボタン、複数のネジ孔、イヤフォンジャック、ユニバーサルシリアルバスポート（ＵＳＢポート）を含み、
前記複数のネジ孔が前記上殻体に合わせて設けられ、
前記下殻体が下方から前記上殻体に組み込まれた、
ことを特徴とする、ゲームコントローラ。
【請求項２】
前記回路板が前記下殻体内に設置され、前記複数の充電池が前記下殻体内に設置され、前記回路板が前記複数の充電池に電気的に接続された、ことを特徴とする、請求項１に記載のゲームコントローラ。
【請求項３】
前記複数のメニューボタンが、選択ボタンとスタートボタンを含み、  
前記選択ボタンが前記上殻体上の一端に設置され、
前記スタートボタンが前記上殻体上の前記選択ボタンの反対端に設置され、
前記複数の制御ボタンが、前記上殻体上の前記スタートボタンの下方に設置され、
前記方向パッドが、前記上殻体上の前記複数の制御ボタンの反対端に設置された、
ことを特徴とする、請求項１に記載のゲームコントローラ。
【請求項４】
前記選択ボタンが、前記回路板に電気的に接続され、
前記スタートボタンが、前記回路板に電気的に接続され、
前記複数の制御ボタンが、前記回路板に電気的に接続され、
前記方向パッドが、前記回路板に電気的に接続された、
ことを特徴とする、請求項３に記載のゲームコントローラ。
【請求項５】
前記少なくとも２本のジョイスティックが、第１ジョイスティック及び第２ジョイスティックを含み、
前記第１ジョイスティックが、前記上殻体上の前記方向パッドの上方に設置され、
前記第２ジョイスティックが、前記上殻体上の前記複数の制御ボタンの上方に設置され、
前記少なくとも２つのスピーカーが、前記上殻体上の前記方向パッドと前記複数の制御ボタンの下方に設置され、
前記複数のソーラーパネルが、前記上殻体上の前記少なくとも２つのスピーカーに隣接して設置された、
ことを特徴とする、請求項１に記載のゲームコントローラ。
【請求項６】
前記第１ジョイスティックが、前記回路板に電気的に接続され、
前記第２ジョイスティックが、前記回路板に電気的に接続され、
前記少なくとも２つのスピーカーが、前記回路板に電気的に接続され、
前記複数のソーラーパネルが、前記回路板に電気的に接続された、
ことを特徴とする、請求項５に記載のゲームコントローラ。
【請求項７】
前記複数のトリガーボタンが、上左ボタン、下左ボタン、上右ボタン、下右ボタンを含み、
前記上左ボタンと前記下左ボタンが、前記下殻体内に前記第１ジョイスティックに対して垂直に設置され、
前記上右ボタンと前記下右ボタンが、前記上左ボタンと前記下左ボタンの反対端に設置され、
前記イヤフォンジャックと前記ユニバーサルシリアルバスポート（ＵＳＢポート）が前記下殻体の周囲の側面に設置され、
前記イヤフォンジャックと前記ユニバーサルシリアルバスポート（ＵＳＢポート）が、前記回路板に電気的に接続された、
ことを特徴とする、請求項１に記載のゲームコントローラ。
【請求項８】
前記回路板が、複数の電解コンデンサ、複数のコンデンサ、複数のスイッチ、複数の抵抗器、複数の可変抵抗器、結晶共振器、複数のＩＣチップ、ＩＲ信号コントローラを含み、
前記複数の電解コンデンサが、前記複数のコンデンサと前記複数の抵抗器に電気的に接続され、
前記結晶共振器が、前記複数のコンデンサに電気的に接続され、
前記結晶共振器と前記複数の抵抗器が、前記複数のＩＣチップに電気的に接続され、
前記複数の可変抵抗器が、前記複数のＩＣチップに電気的に接続され、
前記複数のスイッチが、前記回路板に電気的に接続され、
前記複数のＩＣチップが、前記回路板に電気的に接続され、
前記ＩＲ信号コントローラが、前記回路板に電気的に接続された、
ことを特徴とする、請求項１に記載のゲームコントローラ。
【発明の詳細な説明】
【技術分野】
【０００１】
本発明は、多様な携帯型タブレットに無線接続可能な携帯型タブレットゲームコントローラに関し、特に、本発明はユーザーがプレイ可能なキャラクターやオブジェクトを制御でき、かつ／またはコンピュータゲームへの入力をタブレットコンピュータで行うことができる、ゲームコントローラに関する。
【背景技術】
【０００２】
近年、ｉＰａｄ（登録商標）などの携帯型タブレットコンピュータが一般の人々の間で非常に人気を博している。携帯型タブレットは、ウェブ閲覧や電子メールの作成、ゲームなどさまざまなタスクを行う手段を提供している。そのうち、ビデオゲームは最も人気のあるジカンルの一つである。しかし、ビデオゲームで遊ぶときは通常ユーザーが正確にコマンドを入力できる高精度のコントローラが必要となる。しかしながら、現在、ユーザーにとって使いやすく、快適であると同時に、正確で高精度のフィードバックを提供する携帯型タブレットコンピュータ用のビルトイン型コントローラはない。
【発明の概要】
【発明が解決しようとする課題】
【０００３】
このため、本発明の目的は、ユーザーが快適にプレイ可能なキャラクターやオブジェクトを制御でき、かつ／またはコンピュータゲームへの入力をタブレットコンピュータで行うことができるゲームコントローラを提供することにある。
【０００４】
現在利用可能な携帯型タブレットゲームコントロール装置の多くが、特定のタイプのゲームに制限されたり、コンポーネントの構成によってその機能が制限されたりしている。さらに、ほとんどのゲームコントロール装置は特定のブランドに限定されている。本発明は、さまざまなタイプ及びブランドの携帯型タブレットに接続できるシステムを実装する。本発明は特定のタイプのゲームに制限されない、汎用コントローラである。本発明は携帯型タブレットにダウンロード可能な制御アプリケーションを含む。制御アプリケーションは携帯型端末と本発明の装置間の簡単な無線接続を可能にする。また本発明は、ＵＳＢ接続により携帯型タブレットに接続することもできる。
【課題を解決するための手段】
【０００５】
本発明のゲームコントローラは、上殻体と、下殻体と、回路板と、複数の充電池を含み、前記上殻体が、複数のメニューボタン、複数の制御ボタン、方向パッド、少なくとも２本のジョイスティック、少なくとも２つのスピーカー、複数のソーラーパネルを含み、前記下殻体が、複数のトリガーボタン、複数のネジ孔、イヤフォンジャック、ユニバーサルシリアルバスポート（ＵＳＢポート）を含み、前記複数のネジ孔が前記上殻体に合わせて設けられ、前記下殻体が下方から前記上殻体に組み込まれたことを特徴とする。
【図面の簡単な説明】
【０００６】
【図１】本発明の立体外観図である。
【図２】本発明の上面図である。
【図３】本発明の底面図である。
【図４】本発明の正面図である。
【図５】本発明の左側面図である。
【図６】本発明が携帯型タブレットに組み込まれた状態を示す立体図である。
【図７】本発明の内部に設置される回路システムのブロック図である。
【発明を実施するための形態】
【０００７】
図面の内容は本発明の選択されたバージョンを説明することを目的としており、本発明の範囲を制限しない。
【０００８】
本発明のゲームコントローラは、上殻体１、下殻体２、回路板３、複数の充電池４を含む。回路板３と複数の充電池４は下殻体２内に設置される。上殻体１は下殻体２に結合される。複数の充電池４は本発明の主要な電源である。複数の充電池４は回路板３に電気的に接続される。複数の充電池４は、コンセントと本発明間を接続する外部電源コードによって充電される。上殻体１は殻体として設計され、延長されたＵ字形の形状を備えている。上殻体１は、左垂直セクション、右垂直セクション、水平セクションを備えている。上殻体１は高強度のプラスチック製であり、上殻体１の重量は軽量にすることができる。上殻体１の色は、白または黒とすることができるが、これに限定されない。上殻体１は、複数のメニューボタン１１、複数の制御ボタン１２、方向パッド１３、少なくとも２本のジョイスティック１４、少なくとも２つのスピーカー１５、複数のソーラーパネル１６を備えている。
【０００９】
複数のメニューボタン１１は、選択ボタン１１１とスタートボタン１１２を含む。選択ボタン１１１は、少なくとも２本のジョイスティック１４に隣接して上殻体１の左垂直セクションに設置される。スタートボタン１１２は、少なくとも２本のジョイスティック１４に隣接して上殻体１の右垂直セクションに設置される。選択ボタン１１１とスタートボタン１１２の形状はいずれも円形である。選択ボタン１１１は上面に「ＳＥＬＥＣＴ」の文字が記され、同様にスタートボタン１１２は上面に「ＳＴＡＲＴ」の文字が記されている。複数のメニューボタン１１は回路板３に電気的に接続される。選択ボタン１１１の主な機能は、本発明の特定の機能を選択することである。例えば、正しいアプリケーション、またはアプリケーション内の特定の機能を選択ボタン１１１で選択することができる。スタートボタン１１２は、あらゆるアプリケーションの開始用のボタンである。例えば、多くのゲームアプリケーションには開始ポイントがあり、スタートボタン１１２は開始ポイントに対する入力コマンドとして容易に使用することができる。複数のメニューボタン１１は、通常の動作に耐えられる材料から製造される。これらの材料は、高強度プラスチックまたは金属とすることができる。
【００１０】
複数の制御ボタン１２は、スタートボタン１１２の下方に設置され、上殻体１の右垂直セクションに組み込まれる。複数の制御ボタン１２は、左ボタン１２１、下ボタン１２２、右ボタン１２３、上ボタン１２４を含む。複数の制御ボタン１２は相互間が９０度離れた位置に配置され、また、これらの形状は円形の設計である。左ボタン１２１は上面に「Ｘ」の文字が記され、青色に着色されている。下ボタン１２２は上面に「Ａ」の文字が記され、緑色に着色されている。右ボタン１２３は上面に「Ｂ」の文字が記され、赤色に着色されている。上ボタン１２４は上面に「Ｙ」の文字が記され、黄色に着色されている。複数の制御ボタン１２は、上述のシンボルの文字と色で方向を分かりやすく示すと同時に、デザイン性を備えた設計である。例えば、説明の部分で、複数の制御ボタン１２は、「Ａ」や「Ｙ」として識別することができ、これにより操作の複雑さを低減し、容易にすることができる。複数の制御ボタン１２は回路板３に電気的に接続される。複数の制御ボタン１２は特定のアプリケーション内で異なる機能を制御するために用いられる。例えば、格闘ゲームアプリケーションでは、上方のキック、下方のキック、上方のパンチ、下方のパンチなどの多様な機能がある。これら機能のそれぞれに複数の制御ボタン１２の各ボタンを割り当てることができる。複数の制御ボタン１２は、通常の動作に耐えられる高強度プラスチックまたは金属などの材料から製造される。
【００１１】
方向パッド１３は、選択ボタン１１１の下方に設置され、上殻体１の左垂直セクションに組み込まれる。方向パッド１３は、右矢印ボタン１３１、上矢印ボタン１３２、左矢印ボタン１３３、下矢印ボタン１３４を含む。方向パッド１３の各ボタンは矢印の形状に設計されている。矢印の形状は四角と正三角形の組み合わせである。各ボタンの正三角形の部分は内側に向けられており、各ボタンは相互間が９０度離れた位置に配置される。右矢印ボタン１３１は複数の制御ボタン１２の方向を指した矢印のマークを備えている。上矢印ボタン１３２は上方向を指した矢印のマークを備えている。左矢印ボタン１３３は右矢印ボタン１３１の方向を指した矢印のマークを備えている。下矢印ボタン１３４は下方向を指した矢印のマークを備えている。方向パッド１３は回路板３に電気的に接続される。方向パッド１３の主な機能は、上下または左右に移動させることで正しい入力を選択することである。例えば、入力コマンドのリストがあるとき、下矢印ボタン１３４を使用してリスト内を下に移動することができる。また、本発明で方向パッド１３は音量コントローラとしても動作する。音量制御機能は選択ボタン１１１から選択することができ、その後方向パッド１３の使用により、音量を上げたり下げたりする。方向パッド１３は、各ボタンが通常の動作に耐えられる高強度プラスチックまたは金属などの材料から製造される。
【００１２】
少なくとも２本のジョイスティック１４は上殻体１上に設置される。少なくとも２本のジョイスティック１４は、第１ジョイスティック１４１と第２ジョイスティック１４２を含む。第１ジョイスティック１４１は上殻体１の左垂直セクションの方向パッド１３上方に組み込まれる。同様に、第２ジョイスティック１４２は上殻体１の右垂直セクションの複数の制御ボタン１２上方に組み込まれる。第１ジョイスティック１４１と第２ジョイスティック１４２の形状は円筒形であり、第１ジョイスティック１４１と第２ジョイスティック１４２は完全な円形を描いて回転させることができる。少なくとも２本のジョイスティック１４は回路板３に電気的に接続される。少なくとも２本のジョイスティック１４は主にゲームアプリケーションに使用される。少なくとも２本のジョイスティック１４は複数の制御ボタン１２及び方向パッド１３と同じ機能性を具備しているが、一部の高度なゲームアプリケーションは複数の制御ボタン１２と方向パッド１３のほかに独立して少なくとも２本のジョイスティック１４を必要とする。少なくとも２本のジョイスティック１４は、通常の動作補償のために高強度プラスチックまたは金属などの材料から製造される。 
【００１３】
少なくとも２つのスピーカー１５は上殻体１の水平セクションに組み込まれる。少なくとも２つのスピーカー１５は本発明で使用されるデバイスからの音量を増幅する。少なくとも２つのスピーカー１５は回路板３に電気的に接続される。複数のソーラーパネル１６は少なくとも２つのスピーカー１５の間に設置され、かつ上殻体１の水平セクションに組み込まれる。複数のソーラーパネル１６は複数の充電池４に電気的に接続される。複数のソーラーパネル１６は本発明の副次的な電源として機能する。複数のソーラーパネル１６は複数の充電池４の電源容量が減少すると常時充電を行う。 
【００１４】
下殻体２は殻体として設計され、上殻体１に類似した延長されたＵ字形の形状を備えている。下殻体２は、左垂直セグメント、右垂直セグメント、水平セグメントを備えている。左垂直セグメントと右垂直セグメントはユーザーの手の平にしっかりとフィットする特有の設計を備えている。この特有の設計は、本発明をユーザーが保持したとき、本発明がしっかりと握ることができるようになっている。下殻体２は高強度のプラスチック製であり、下殻体２の重量は軽量にすることができる。左垂直セグメントと右垂直セグメントは摩擦力を増加するために小さいゴムストリップと組み合わせてもよい。下殻体２はスタンドに連結することもできる。スタンドは下殻体２の背面側に連結され、本発明を立てて格納することができる。本発明を使用するときにユーザーの邪魔になることがないように、スタンドは下殻体２に平行に配置される。スタンドは下殻体２から外部に延伸され、本発明を表面上に配置することができる。下殻体２の色は、白または黒とすることができるが、これに限定されない。下殻体２は複数のトリガーボタン２１、複数のネジ孔２３、ヘッドフォンジャック２４、ユニバーサルシリアルバスポート（ＵＳＢポート）２５を含む。
【００１５】
複数のトリガーボタン２１は、上左ボタン２１１、下左ボタン２１２、上右ボタン２１３、下右ボタン２１４を含む。上左ボタン２１１は、下殻体２の内の左垂直セグメントの上部に向けて設置される。下左ボタン２１２は、上左ボタン２１１の下方に設置される。上右ボタン２１３は、下殻体２内の右垂直セグメントの上部に向けて設置される。下右ボタン２１４は、上右ボタン２１３の下方に設置される。上左ボタン２１１と上右ボタン２１３の上面はいずれも平らであり、下左ボタン２１２と下右ボタン２１４の上面はいずれも曲面である。平らな面と曲面のいずれも、ユーザーが複数のトリガーボタン２１と完全に相互作用することができるように設計されている。複数のトリガーボタン２１は高強度のプラスチック製で、回路板３に電気的に接続される。複数のネジ孔２３が下殻体２に設けられる。複数のネジ孔は上殻体１に揃っており、下殻体２をしっかりと結合させることができる。複数の小さなネジを複数のネジ孔２３に螺合し、上殻体２に固定される。イヤフォンジャック２４及びユニバーサルシリアルバスポート（ＵＳＢポート）２５は、下殻体２周囲の側面に設置される。外付けのヘッドフォンセットをイヤフォンジャック２４に接続して使用することができる。ユニバーサルシリアルバスポート（ＵＳＢポート）２５には、外付けのＵＳＢ電源コードが接続される。外付けのＵＳＢ電源コードをコンセントに接続して、複数の充電池４に対して充電を行う。イヤフォンジャック２４とユニバーサルシリアルバスポート（ＵＳＢポート）２５は、回路板３に電気的に接続される。ユニバーサルシリアルバスポート（ＵＳＢポート）２５は本発明から携帯型端末への接続ポートを開くため、ユニバーサルシリアルバスポート（ＵＳＢポート）２５を介して本発明を接続することができる。また本発明は、携帯型端末にダウンロード可能な制御アプリケーションを含む。制御アプリケーションは本発明と携帯型端末を簡単な無線接続で接続する。本発明のユーザーは携帯型端末に対する２種類の接続オプションが提供され、ユーザーは好みに応じていずれかを選択することができる。
【００１６】
回路板３は本発明のすべての入力及び出力データを接続する。回路板３は、複数の電解コンデンサ３１、複数のコンデンサ３２、複数のスイッチ３３、複数の抵抗器３４、複数の可変抵抗器３５、結晶共振器３６、複数のＩＣチップ３７、ＩＲ信号コントローラ３８を含む。複数の電解コンデンサ３１は、複数のコンデンサ３２と複数の抵抗器３４に電気的に接続される。結晶共振器３６は、複数のコンデンサ３２に電気的に接続される。結晶共振器３６、複数の抵抗器３４、複数の可変抵抗器３５は、複数のＩＣチップ３７に電気的に接続される。複数のＩＣチップ３７と複数のスイッチ３３は回路板３に電気的に接続される。ＩＲ信号コントローラ３８は回路板３に電気的に接続され、任意の種類の無線接続にＩＲ信号を提供する。 
【００１７】
本発明について最良の実施例に基づき説明したが、本発明の要旨から逸脱することなく他に多くの変更や変化が可能であることに理解が必要である。
【符号の説明】
【００１８】
１        上殻体
１１      メニューボタン
１１１    選択ボタン
１１２    スタートボタン
１２      制御ボタン
１２１    左ボタン
１２２    下ボタン
１２３    右ボタン
１２４    上ボタン
１３      方向パッド
１３１    右矢印ボタン
１３２    上矢印ボタン
１３３    左矢印ボタン
１３４    下矢印ボタン
１４      ジョイスティック
１４１    第１ジョイスティック
１４２    第２ジョイスティック
１５      スピーカー
１６      ソーラーパネル
２        下殻体
２１      トリガーボタン
２１１    上左ボタン
２１２    下左ボタン
２１３    上右ボタン
２１４    下右ボタン
２３      ネジ孔
２４      イヤフォンジャック
２５      ユニバーサルシリアルバスポート（ＵＳＢポート）
３        回路板
３１      電解コンデンサ
３２      コンデンサ
３３      スイッチ
３４      抵抗器
３５      可変抵抗器
３６      結晶共振器
３７      ＩＣチップ
３８      ＩＲ信号コントローラ
４          充電池 
【図１】
2013135830.tif 000003
【図２】
2013135830.tif 000004
【図３】
2013135830.tif 000005
【図４】
2013135830.tif 000006
【図５】
2013135830.tif 000007
【図６】
2013135830.tif 000008
【図７】
2013135830.tif 000009
【外国語明細書】
2013135830000001.pdf